(57)【要約】      （修正有）【課題】ピンチをしないで干せるパンプスソックス用ハンガーを提供する。【解決手段】パンプスソックス用ハンガーＨは、外周がパンプスソックスＳに当接してパンプスソックスＳを係止する扁平状の本体１と、この扁平状の本体１に回動自在なフック部２とを備え、フック部２の使用時には、フック部２を回動させて、扁平状の本体１の外周より突出させて、フック部２を、物干し竿又は角ハンガーの隅に引っかけ、フック部２の不使用時には、フック部２を回動させて、正面視、扁平状の本体１に重なるように収納することができるものである。【選択図】図９
0003209615.tif 000002
【実用新案登録請求の範囲】
【請求項１】
外周がパンプスソックスに当接して前記パンプスソックスを係止する扁平状の本体と、
この扁平状の本体に回動自在なフック部とを備え、
前記フック部の使用時には、前記フック部を回動させて、前記扁平状の本体の外周より突出させて、前記フック部を、物干し竿又は角ハンガーの隅に引っかけ、前記フック部の不使用時には、前記フック部を回動させて、正面視、前記扁平状の本体に重なるように収納することができる
ことを特徴とするパンプスソックス用ハンガー。  
【請求項２】
踵ひもタイプのパンプスソックスは、足指を覆うと共に、前記踵ひもで足の踵に係止させるソックスであり、
扁平状の本体の内方に前記踵ひもタイプのパンプスソックスの踵ひもに係止する凸状の扁平係止部が設けられている
ことを特徴とする請求項１記載のパンプスソックス用ハンガー。  
【請求項３】
第１の直線部と、この第１の直線部から延長された弧状部と、前記第１の直線部に直交するように接続された第２の直線部とを有し、
前記弧状部がフック部であり、
前記第２の直線部が扁平状の本体に回動自在に支持され、
前記扁平状の本体の中央に第１の貫通孔が設けられ、
前記第１の貫通孔の外側に環状の壁が設けられ、
この環状の壁に係止部が設けられ、
この係止部に係止される被係止部が前記弧状部の内周部に設けられている
ことを特徴とする請求項１記載のパンプスソックス用ハンガー。  
【請求項４】
扁平状の本体の中央に第１の貫通孔が設けられ、
凸状の扁平係止部と反対側の扁平状の本体の部位に前記第１の貫通孔より大きな第２の貫通孔が設けられている
ことを特徴とする請求項２記載のパンプスソックス用ハンガー。  
【請求項５】
踵ひもタイプのパンプスソックスは、足指を覆うと共に、前記踵ひもで足の踵に係止させるソックスであり、
扁平状の本体の内方に前記踵ひもタイプのパンプスソックスの踵ひもに係止する凸状の扁平係止部が設けられ、
前記凸状の扁平係止部の周囲に第３の貫通孔が設けられている
ことを特徴とする請求項４記載のパンプスソックス用ハンガー。  
【請求項６】
扁平状の本体は、直線部および曲線部を有するレーストラック形状である
ことを特徴とする請求項１〜５のいずれかに記載のパンプスソックス用ハンガー。
【考案の詳細な説明】
【技術分野】
【０００１】
本考案は、パンプスソックス用ハンガーに係り、特に、ピンチをしないで干せるパンプスソックス用ハンガーに関する。
【背景技術】
【０００２】
従来、パンプスから外部に露出しないソックスとして、パンプスソックス（フットカバー）がある（特許文献１参照）。
このパンプスソックスは、足裏全体を覆う、丈の浅いカバー状のソックスで、このパンプスソックスを干す場合、例えば、右手で角ハンガーのピンチを開き、開いたピンチの間に左手で洗濯したパンプスソックスを位置させて、ピンチでパンプスソックスを挟持するようにしている。
【先行技術文献】
【特許文献】
【０００３】
【特許文献１】実用新案登録第３１８２６３６号公報
【考案の概要】
【考案が解決しようとする課題】
【０００４】
そのため、その作業が煩わしく、また、パンプスソックスにピンチ跡が残ったり、また、パンプスソックスがクルクルと丸まってしまい、乾燥しにくく、また、収納時には、パンプスソックスの種類が見分け難いという問題点があった。
【０００５】
本考案は、上記の問題点を考慮してなされたもので、第１の考案の目的は、ピンチを使用しないで干せ、乾燥後はパンプスソックスを付けたまま収納できるパンプスソックス用ハンガーを提供することである。
第２の考案の目的は、複数の種類のパンプスソックスに対応したパンプスソックス用ハンガーを提供することである。
第３の考案の目的は、洗濯効果と乾燥効果をも高めたパンプスソックス用ハンガーを提供するすることである。
【課題を解決するための手段】
【０００６】
請求項１記載のパンプスソックス用ハンガーは、外周がパンプスソックスに当接して前記パンプスソックスを係止する扁平状の本体と、この扁平状の本体に回動自在なフック部とを備え、前記フック部の使用時には、前記フック部を回動させて、前記扁平状の本体の外周より突出させて、前記フック部を、物干し竿又は角ハンガーの隅に引っかけ、前記フック部の不使用時には、前記フック部を回動させて、正面視、前記扁平状の本体に重なるように収納することができるものである。
【０００７】
また、請求項２記載のパンプスソックス用ハンガーは、請求項１記載のパンプスソックス用ハンガーにおいて、踵ひもタイプのパンプスソックスは、足指を覆うと共に、前記踵ひもで足の踵に係止させるソックスであり、扁平状の本体の内方に前記踵ひもタイプのパンプスソックスの踵ひもに係止する凸状の扁平係止部が設けられているものである。
【０００８】
また、請求項３記載のパンプスソックス用ハンガーは、請求項１記載のパンプスソックス用ハンガーにおいて、第１の直線部と、この第１の直線部から延長された弧状部と、前記第１の直線部に直交するように接続された第２の直線部とを有し、前記弧状部がフック部であり、前記第２の直線部が扁平状の本体に回動自在に支持され、前記扁平状の本体の中央に第１の貫通孔が設けられ、前記第１の貫通孔の外側に環状の壁が設けられ、この環状の壁に係止部が設けられ、この係止部に係止される被係止部が前記弧状部の内周部に設けられているものである。
【０００９】
また、請求項４記載のパンプスソックス用ハンガーは、請求項２記載のパンプスソックス用ハンガーにおいて、扁平状の本体の中央に第１の貫通孔が設けられ、凸状の扁平係止部と反対側の扁平状の本体の部位に前記第１の貫通孔より大きな第２の貫通孔が設けられているものである。
【００１０】
また、請求項５記載のパンプスソックス用ハンガーは、請求項４記載のパンプスソックス用ハンガーにおいて、踵ひもタイプのパンプスソックスは、足指を覆うと共に、前記踵ひもで足の踵に係止させるソックスであり、扁平状の本体の内方に前記踵ひもタイプのパンプスソックスの踵ひもに係止する凸状の扁平係止部が設けられ、前記凸状の扁平係止部の周囲に第３の貫通孔が設けられているものである。
【００１１】
また、請求項６記載のパンプスソックス用ハンガーは、請求項１〜５のいずれかに記載のパンプスソックス用ハンガーにおいて、扁平状の本体は、直線部および曲線部を有するレーストラック形状である。
【考案の効果】
【００１２】
請求項１記載のパンプスソックス用ハンガーによれば、外周がパンプスソックスに当接して係止する扁平状の本体と、この扁平状の本体に回動自在なフック部とを備え、前記フック部の使用時には、前記フック部を回動させて、前記扁平状の本体の外周より突出させて、前記フック部を、物干し竿又は角ハンガーの隅に引っかけ、つまり、パンプスソックスを扁平状の本体に取り付けたまま、干すことができ、また、前記フック部の不使用時には、前記フック部を回動させて、正面視、前記扁平状の本体に重なるように収納することができ、つまり、パンプスソックスを扁平状の本体に取り付けたまま、洗濯、収納等を行うことができる。
【００１３】
また、請求項２記載のパンプスソックス用ハンガーによれば、上述した請求項１記載の考案の効果に加え、１個のパンプスソックス用ハンガーにより、踵ひもタイプのパンプスソックスに対しては、踵ひもを凸状の扁平係止部に係止させ、踵ひもから遠い側のパンプスソックスの部位は、扁平状の本体の外周に当接させて係止させ、また、踵ひもがないタイプのパンプスソックスに対しては、扁平状の本体の外周にパンプスソックスを当接させて係止させ、複数の種類のパンプスソックスに対応することができる。
【００１４】
また、請求項３記載のパンプスソックス用ハンガーによれば、上述した請求項１記載の考案の効果に加え、フック部の不使用時には、前記フック部を回動させて、正面視、扁平状の本体に重なるように収納状態を保持することができるため、洗濯時、フック部が係止部から離脱するのを防いで、他の洗濯物が保損するのを防ぐことができ、しかも、環状の壁に設けられた係止部に被係止部が係止されるため、係止状態においては、フック部が移動しようとしても、環状の壁に当たり、係止状態を保持することができ、更に、被係止部が弧状部の内周部に設けられ、係止する際、弧状部の変形を利用して係止するため、係止状態を強固に保持することができ、また、扁平状の本体の中央に第１の貫通孔が設けられているため、干す場合にあっては、第１の貫通孔を介しての通気により、乾燥効果を高め、洗濯する場合にあっては、第１の貫通孔を介しての通水により、洗濯効果をも高めることができる。
【００１５】
また、請求項４記載のパンプスソックス用ハンガーによれば、上述した請求項２記載の考案の効果に加え、凸状の扁平係止部と反対側の扁平状の本体の部位に第１の貫通孔より大きな第２の貫通孔が設けられているため、干す場合にあっては、第２の貫通孔を介しての通気により、乾燥効果をより高め、洗濯する場合にあっては、第２の貫通孔を介しての通水により、洗濯効果をもより高めることができる。
【００１６】
また、請求項５記載のパンプスソックス用ハンガーによれば、上述した請求項４記載の考案の効果に加え、扁平状の本体の内方に踵ひもタイプのパンプスソックスの踵ひもに係止する凸状の係止部が設けられ、凸状の扁平係止部の周囲に第３の貫通孔が設けられているため、干す場合にあっては、第３の貫通孔を介しての通気により、乾燥効果をより高め、洗濯する場合にあっては、第３の貫通孔を介しての通水により、洗濯効果をもより高めることができる。
【図面の簡単な説明】
【００１７】
【図１】図１は、本考案の一実施例のパンプスソックス用ハンガーの写真である。
【図２】図２は、図１の一部を拡大した写真である。
【図３】図３は、図１の裏面の写真である。
【図４】図４は、図１の右側面の写真である。
【図５】図５は、図１のフック部を回動させて、扁平状の本体の外周より突出させた状態の写真である。
【図６】図６は、図５の一部を拡大した写真である。
【図７】図７は、図５の裏面の写真である。
【図８】図８は、図７の一部を拡大した写真である。
【図９】図９は、図５のパンプスソックス用ハンガーにパンプスソックスを装着した状態の写真である。
【図１０】図１０は、図９の裏面の写真である。
【図１１】図１１は、図５のパンプスソックス用ハンガーに図９のパンプスソックスと異なる他のパンプスソックスを装着した状態の写真である。
【図１２】図１２は、図１１の裏面の写真である。
【図１３】図１３は、深型と浅型のパンプスソックスを装着した状態の写真である。
【図１４】図１４は  踵ひもタイプのパンプスソックスを装着した状態の写真である。
【図１５】図１５は、足首ベルト付きタイプのパンプスソックスを装着した状態の写真である。
【図１６】図１６は、脱いだパンプスソックスをパンプスソックス用ハンガーに装着して洗濯ネットに入れ、洗濯機へ投入する状態の概略的図である。
【図１７】図１７は、パンプスソックスをパンプスソックス用ハンガーに装着して物干し竿にかけた状態の概略的図である。
【図１８】図１８は、パンプスソックスをパンプスソックス用ハンガーに装着して角ハンガーの隅に引っかけた状態の概略的図である。
【図１９】図１９は、パンプスソックス用ハンガーに装着したまま収納ケースへ収納した状態の概略的図である。
【考案を実施するための形態】
【００１８】
本考案の一実施例のパンプスソックス用ハンガーを図１乃至図１９を参照して説明する。
図１に示すＨは、パンプスソックス用ハンガーで、パンプスソックス用ハンガーＨは、外周がパンプスソックスＳに当接してパンプスソックスＳを係止する扁平状の本体１と、この扁平状の本体１に回動自在なフック部２とを備えている。
なお、扁平状の本体１は、例えば、直線部１１、１２および曲線部１３、１４を有するレーストラック形状となっている。
【００１９】
そして、フック部２の使用時（図５、図７、図９、図１０、図１１、図１２、図１７、図１８参照）には、フック部２を回動させて、扁平状の本体１の外周より突出させて（扁平状の本体１の外周を乗り越えさせて）、フック部２を、物干し竿３（図１７参照）又は角ハンガー４（図１８参照）の隅に引っかけ、フック部２の不使用時（例えば、洗濯、収納する場合）には、フック部２を回動させて、正面視、扁平状の本体１に重なるように収納することができるものである（図１、図３、図４、図１６、図１９参照）。
【００２０】
従って、上述したパンプスソックス用ハンガーＨによれば、外周がパンプスソックスＳに当接して係止する扁平状の本体１と、この扁平状の本体１に回動自在なフック部２とを備え、フック部２の使用時には、フック部２を回動させて、扁平状の本体１の外周より突出させて、フック部２を、物干し竿３又は角ハンガー４の隅に引っかけ、つまり、パンプスソックスＳを扁平状の本体１に取り付けたまま、干すことができ（図１７及び図１８参照）、また、フック部２の不使用時には、フック部２を回動させて、正面視、扁平状の本体１に重なるように収納することができ、つまり、パンプスソックスＳを扁平状の本体１に取り付けたまま、洗濯、収納等を行うことができる（図１６及び図１９参照）。
【００２１】
パンプスソックスＳは、足裏全体を覆う、丈の浅いカバー状のソックスＳ１（図１３参照）、 足指を覆うと共に、踵ひもで足の踵に係止させるソックス（踵ひもタイプのパンプスソックス）Ｓ２（図１４参照）、足首ベルト付きタイプＳ３（図１５参照）等がある。パンプスソックスＳ１、Ｓ３は、扁平状の本体１の外周に当接してパンプスソックスＳを係止させるが（図９及び図１０参照）、パンプスソックス（踵ひもタイプのパンプスソックス）Ｓ２は、扁平状の本体１の外周に当接しない。
そのため、扁平状の本体１の内方に踵ひもタイプのパンプスソックスＳ２の踵ひも５に係止する凸状の扁平係止部６が設けられている（図１１及び図１２参照）。
【００２２】
従って、１個のパンプスソックス用ハンガーＨにより、踵ひもタイプのパンプスソックスＳ２に対しては、踵ひも５を凸状の扁平係止部６に係止させ、踵ひも５から遠い側のパンプスソックスＳ２の部位は、扁平状の本体１の外周に当接させて係止させ、また、踵ひもがないタイプのパンプスソックスＳ１、Ｓ３に対しては、扁平状の本体１の外周にパンプスソックスＳ１、Ｓ３を当接させて係止させ複数の種類のパンプスソックスＳ１、Ｓ２、Ｓ３に対応することができる。
【００２３】
図５に示す２１は第１の直線部で、２２は第１の直線部２１から延長された弧状部で、２３は第１の直線部２１に直交するように接続された第２の直線部で、弧状部２２がフック部２となっている。
第２の直線部２３が扁平状の本体１に回動自在に支持され、扁平状の本体１の中央に
第１の貫通孔Ｘが設けられ、第１の貫通孔Ｘの外側に環状の壁１０が設けられ、この環状の壁１０に係止部１０１が設けられ、この係止部１０１に係止される被係止部２２１が弧状部２２の内周部に設けられている。
【００２４】
その結果、フック部２（２２）の不使用時には、フック部（２２）を回動させて、正面視、扁平状の本体１に重なるように収納状態を保持することができるため、洗濯時（図１６参照）、フック部２（２２）が係止部１０１から離脱するのを防いで、他の洗濯物が保損するのを防ぐことができ、しかも、環状の壁１０に設けられた係止部１０１に被係止部２２１が係止されるため、係止状態においては、フック部２（２２）が移動しようとしても、環状の壁１０に当たり、係止状態を保持することができ、更に、被係止部２２１が弧状部２２（２）の内周部に設けられ、係止する際、弧状部２２（２）の変形を利用して係止するため、係止状態を強固に保持することができ、また、扁平状の本体１の中央に第１の貫通孔Ｘが設けられているため、干す場合にあっては、第１の貫通孔Ｘを介しての通気により（図１７及び図１８参照）、乾燥効果を高め、洗濯する場合にあっては、第１の貫通孔Ｘを介しての通水により、洗濯効果をも高めることができる（図１６参照）。
【００２５】
また、凸状の扁平係止部６と反対側の扁平状の本体１の部位に第１の貫通孔Ｘより大きな第２の貫通孔Ｙが設けられている。
干す場合にあっては、第１の貫通孔Ｘ、第２の貫通孔Ｙを介しての通気により、乾燥効果をより高め、洗濯する場合にあっては、第１の貫通孔Ｘ、第２の貫通孔Ｙを介しての通水により、洗濯効果をもより高めることができる。
【００２６】
また、凸状の扁平係止部６の周囲に第３の貫通孔Ｚが設けられている。その結果、干す場合にあっては、第１の貫通孔Ｘ、第２の貫通孔Ｙ、第３の貫通孔Ｚを介しての通気により、乾燥効果をより高め、洗濯する場合にあっては、第１の貫通孔Ｘ、第２の貫通孔Ｙ、第３の貫通孔Ｚを介しての通水により、洗濯効果をもより高めることができる。
【符号の説明】
【００２７】
Ｈ      パンプスソックス用ハンガー
Ｓ      パンプスソックス
１      扁平状の本体
２      フック部
３      物干し竿
４      角ハンガー
【図１】
0003209615.tif 000003
【図２】
0003209615.tif 000004
【図３】
0003209615.tif 000005
【図４】
0003209615.tif 000006
【図５】
0003209615.tif 000007
【図６】
0003209615.tif 000008
【図７】
0003209615.tif 000009
【図８】
0003209615.tif 000010
【図９】
0003209615.tif 000011
【図１０】
0003209615.tif 000012
【図１１】
0003209615.tif 000013
【図１２】
0003209615.tif 000014
【図１３】
0003209615.tif 000015
【図１４】
0003209615.tif 000016
【図１５】
0003209615.tif 000017
【図１６】
0003209615.tif 000018
【図１７】
0003209615.tif 000019
【図１８】
0003209615.tif 000020
【図１９】
0003209615.tif 000021